(57)【要約】【課題】ＵＯＥ鋼管の拡管時に横曲がりが発生することを、より効果的に防止する。【解決手段】先端に拡管ヘッド４を有するブーム３をＵＯＥ鋼管１の一端から挿入し、拡管ヘッド４を軸直方向に拡径させてＵＯＥ鋼管１の拡管を行う際に、ＵＯＥ鋼管１の軸線が拡管ヘッド４から一端側にかけて所定方向に湾曲することを防止するために、ＵＯＥ鋼管１における拡管ヘッド４よりも一端側で且つ前記所定方向とは反対側の内周面１ａと、この内周面１ａに対向するブーム３の外周面３ａとの間に、双方の相対距離を維持するためのインサイドブロック１１を介挿すると共に、ＵＯＥ鋼管１におけるインサイドブロック１１よりも一端側で且つ前記所定方向とは反対側の外周面１ｂを、アウトサイドローラ１２によって支持する。【選択図】図１
2011167710.tif 000002
【特許請求の範囲】
【請求項１】
先端に拡管ヘッドを有するブームをＵＯＥ鋼管の一端から挿入し、前記拡管ヘッドを軸直方向に拡径させて前記ＵＯＥ鋼管の拡管を行う際に、前記ＵＯＥ鋼管の軸線が前記拡管ヘッドから一端側にかけて予め判明している所定方向に湾曲することを防止するために、
前記ＵＯＥ鋼管における前記拡管ヘッドよりも一端側で且つ前記所定方向とは反対側の内周面と、当該内周面に対向する前記ブームの外周面との間に、双方の相対距離を維持するためのインサイド部材を介挿すると共に、
前記ＵＯＥ鋼管における前記インサイド部材よりも一端側で且つ前記所定方向とは反対側の外周面を、アウトサイド部材によって支持することを特徴とするＵＯＥ鋼管の拡管時湾曲防止方法。
【発明の詳細な説明】
【技術分野】
【０００１】
本発明は、ＵＯＥ鋼管の拡管時湾曲防止方法に関するものである。
【背景技術】
【０００２】
従来、ＵＯＥ鋼管を上下左右の四方から軸直方向に拘束するロールスタンドを設け、ＵＯＥ鋼管の拡管を行うときに、ロールスタンド自体をＵＯＥ鋼管の径方向に変位させることにより、ＵＯＥ鋼管の曲がりを矯正するものがあった（特許文献１参照）。
【先行技術文献】
【特許文献】
【０００３】
【特許文献１】特開昭６３−２５１７号公報
【発明の概要】
【発明が解決しようとする課題】
【０００４】
ＵＯＥ鋼管を外方から押圧して矯正する場合、矯正対象の強度が低ければ、ある程度の効果があるが、高強度で厚物だと、外方からの押圧では充分な矯正効果が得られないことがあった。
本発明の課題は、高強度で厚物であっても、ＵＯＥ鋼管の拡管時に横曲がりが発生することを、より効果的に防止することである。
【課題を解決するための手段】
【０００５】
上記の課題を解決するために、本発明に係るＵＯＥ鋼管の拡管時湾曲防止方法は、先端に拡管ヘッドを有するブームをＵＯＥ鋼管の一端から挿入し、前記拡管ヘッドを軸直方向に拡径させて前記ＵＯＥ鋼管の拡管を行う際に、前記ＵＯＥ鋼管の軸線が前記拡管ヘッドから一端側にかけて予め判明している所定方向に湾曲することを防止するために、前記ＵＯＥ鋼管における前記拡管ヘッドよりも一端側で且つ前記所定方向とは反対側の内周面と、当該内周面に対向する前記ブームの外周面との間に、双方の相対距離を維持するためのインサイド部材を介挿すると共に、前記ＵＯＥ鋼管における前記インサイド部材よりも一端側で且つ前記所定方向とは反対側の外周面を、アウトサイド部材によって支持することを特徴とする。
【発明の効果】
【０００６】
本発明に係るＵＯＥ鋼管の拡管時湾曲防止方法によれば、拡管時に、ＵＯＥ鋼管の内周面がブームの外周面に接近することをインサイド部材が防ぎ、このときＵＯＥ鋼管がインサイド部材から受ける反力をアウトサイド部材で支持することができるので、高強度で厚物であっても、ＵＯＥ鋼管が所定方向に湾曲しようとすることを、より効果的に防止することができる。
【図面の簡単な説明】
【０００７】
【図１】本発明の概略構成図である。
【図２】ＵＯＥ鋼管の断面図である。
【図３】拡管時にＵＯＥ鋼管１が湾曲した状態を示す図である。
【図４】実施例の効果を示す図である。
【発明を実施するための形態】
【０００８】
以下、本発明の実施形態を図面に基づいて説明する。
《一実施形態》
《構成》
図１は、本発明の概略構成図である。
図２は、ＵＯＥ鋼管の断面図である。
【０００９】
ＵＯＥ鋼管１は、ＵＯＥ方式によって製造する大径溶接鋼管である。先ず、厚板の端面に開先加工を施してから、プレス加工にてＵ形、Ｏ形の順に2段成形し、突き合わせた端面を仮付けしてから、内外面をサブマージアーク溶接法によりシーム溶接する。その後、拡管機２で所定の外径に仕上げる。
拡管機２は、先端がＵＯＥ鋼管１の一端から挿入される軸状のブーム３と、このブーム３の先端に設けられ軸直方向に拡径するときにＵＯＥ鋼管１を拡管する拡管ヘッド４と、を備える。
【００１０】
拡管ヘッド４は、テーパ外周面５と、拡管ダイス８と、を備える。
テーパ外周面５は、ブーム３の先端側に形成され、先端側から基端側に向けて縮径している。拡管ダイス８は、テーパ外周面５に摺接し、先端側から基端側に向けて拡径したテーパ内周面６と、ＵＯＥ鋼管１の内周面に対向するダイス外周面７とを備え、テーパ外周面５の周方向に沿って複数配設されている。
【００１１】
この構成により、拡管ダイス８を拡管位置に合わせた状態で、ブーム３を拡管開始位置から後退させると、楔作用によってテーパ外周面５に摺接した拡管ダイス８の夫々が軸直方向の外側に（放射方向に）に変位するので、ＵＯＥ鋼管１が拡管する。そして、ブーム３を拡管開始位置まで前進させ、図示しないリリース機構によって拡管ダイス８を軸直方向の内側に復帰させてから、拡管ダイス８のピッチ（軸方向の長さ）に応じた量だけブーム３を更に前進させる。そして、拡管ダイス８を新たな拡管位置に合わせてから、上記の動作を繰り返し行う。こうして、拡管ダイス８のピッチ分ずつＵＯＥ鋼管１の拡管を、その全長に渡って行う。
【００１２】
上記の拡管工程を行う際には、ＵＯＥ鋼管１における拡管ヘッド４よりも一端側で且つ所定方向とは反対側の内周面１ａと、この内周面１ａに対向するブーム３の外周面３ａとの間に、双方の相対距離を維持するためのインサイドブロック１１を介挿する。このインサイドブロック１１は、例えばブーム３に固定しておく。なお、拡管前の初期設定の状態では、ＵＯＥ鋼管１とブーム３とを同心円上に配置したときに、インサイドブロック１１とＵＯＥ鋼管１との間には、数ｍｍ程度の隙間があるようにする。鋼管を装入し易くするためである。
【００１３】
また、ＵＯＥ鋼管１におけるインサイドブロック１１よりも一端側で且つ所定方向とは反対側の外周面１ｂを、アウトサイドローラ１２によって支持する。このアウトサイドローラ１２は、図示しないローラフレームによって支持される。なお、ローラフレームは、ＵＯＥ鋼管１を左右の二方向から拘束する二つのアウトサイドローラを備えるものとする。後述するが、拡管時にＵＯＥ鋼管１が湾曲する方向は予め把握することができ、ほぼ左右のどちらかに決まっているため、左右の二方向から拘束すれば十分であるが、これに限定されるものではない。
【００１４】
《作用》
図３は、拡管時にＵＯＥ鋼管１が湾曲した状態を示す図である。
拡管を行うと、図３に示すように、ＵＯＥ鋼管１の軸線が、拡管ヘッド４から一端側にかけて所定方向に湾曲する傾向がある。一般に、ＵＯＥ鋼管１を製造するための厚板は、幅広の厚板を幅方向に二つに切断したものであるため、その幅方向に強度差がある。すなわち、ＵＯＥ鋼管１は、溶接点Ｗを境にして周方向に強度差がある。これが拡管時にＵＯＥ鋼管１が所定方向へ湾曲する一因であるため、拡管時にＵＯＥ鋼管１が湾曲する方向は予め把握することができる。したがって、ここで「所定方向」とは、拡管時の湾曲予定方向を指す。
【００１５】
本実施形態では、ＵＯＥ鋼管１における所定方向とは反対側の内周面１ａとブーム３の外周面３ａとの間にインサイドブロック１１を介挿すると共に、ＵＯＥ鋼管１における所定方向とは反対側の外周面１ｂをアウトサイドローラ１２によって支持する。
これによれば、拡管時に、ＵＯＥ鋼管１の内周面１ａがブーム３の外周面３ａに接近することをインサイドブロック１１が防ぎ、このときＵＯＥ鋼管１がインサイドブロック１１から受ける反力をアウトサイドローラ１２で支持する（押さえつける）ことができるので、高強度で厚物であっても、ＵＯＥ鋼管１が所定方向に湾曲しようとすることを、より効果的に防止することができる。
以上より、インサイドブロック１１が「インサイド部材」に対応し、アウトサイドローラ１２が「アウトサイド部材」に対応する。
【００１６】
《実施例》
下記の条件で実施をした。
サイズ：外径５５８.８ｍｍ、厚さ２０.０ｍｍ、長さ１２０００ｍｍ
規  格：Ｘ６５グレード（ＹＳ：４５０ＭＰａ相当）
仕  様：湾曲量管理値  １.５ｍｍ／１０００ｍｍ（長さ１０００ｍｍ当りの湾曲量）
図４は、実施例の効果を示す図である。ここで、横曲がり発生率とは、前記湾曲量管理値を超える横曲がりが発生した率（％）である。
【００１７】
ここで、従来例とは、ＵＯＥ鋼管１における所定方向と同一側の外周面をアウトサイドローラ１２によって支持した場合である。この従来技術と比べて、本発明を適用した実施例では、横曲がりを６％から１％まで軽減することができた。
なお、ＵＯＥ鋼管１における所定方向と反対側の内周面１ａにインサイドブロック１１を挿入するだけでは、上記ほどの効果は得られなかった。さらに、ＵＯＥ鋼管１における所定方向とは反対側の内周面１ａにインサイドブロック１１を挿入すると共に、ＵＯＥ鋼管１における所定方向と同一側の外周面をアウトサイドローラ１２によって支持した場合も、上記ほどの効果は得られなかった。
【００１８】
《応用例》
なお、本実施形態では、ブーム３を後退させることで、ＵＯＥ鋼管１の拡管を行う拡管機２について説明したが、これに限定されるものではなく、油圧機構などによって拡管ダイス８を軸直方向の外側に変位させる構造であってもよい。
また、本実施形態では、インサイドブロック１１やアウトサイドローラ１２の一例を示したに過ぎず、夫々の形状や数量や位置については、本発明の主旨を逸脱しない範囲で、適宜、変更してもよい。
【符号の説明】
【００１９】
１  ＵＯＥ鋼管
２  拡管機
３  ブーム
４  拡管ヘッド
５  テーパ外周面
６  テーパ内周面
７  ダイス外周面
８  拡管ダイス
１１  インサイドブロック
１２  アウトサイドローラ
【図１】
2011167710.tif 000003
【図２】
2011167710.tif 000004
【図３】
2011167710.tif 000005
【図４】
2011167710.tif 000006